(57)【要約】【課題】バックライトモジュールの光線分布の不均一性による表示装置の画像表示に明暗むらを改善する。【解決手段】本発明の実施例は、バックライトモジュール及び液晶表示装置を開示し、前記バックライトモジュールは、導光板と、前記導光板の出光側の反対側に設置された底板と、前記底板の周辺に沿って前記導光板の一側に設置された背板とを備え、前記背板の前記導光板に対向する一側にサイド光源が設置され、前記背板は回転軸を介して前記底板に枢接され、且つ前記背板は前記回転軸の周りに回転可能である。【選択図】図２
2014072187.tif 000002
【特許請求の範囲】
【請求項１】
バックライトモジュールであって、
導光板と、
前記導光板の出光側の反対側に設置された底板と、
前記底板の周辺に沿って前記導光板の一側に設置された背板と、
を備え、
前記背板の前記導光板に対向する一側にサイド光源が設置され、前記背板は回転軸を介して前記底板に枢接され、且つ前記背板は前記回転軸の周りに回転可能であるバックライトモジュール。
【請求項２】
前記背板と前記導光板の法線方向とがなす角度は、前記サイド光源が光線を出射する発散角度より大きくない請求項１に記載のバックライトモジュール。
【請求項３】
前記導光板の前記サイド光源に対向する側面は凹面である請求項１又は２に記載のバックライトモジュール。
【請求項４】
前記導光板の凹面が形成した凹みスペースは、前記サイド光源の回転に必要なスペースより大きい請求項３に記載のバックライトモジュール。
【請求項５】
前記サイド光源は発光ダイオードである請求項１〜４のいずれか１項に記載のバックライトモジュール。
【請求項６】
前記回転軸の回転を制御する制御モジュールをさらに備える請求項１〜５のいずれか１項に記載のバックライトモジュール。
【請求項７】
前記導光板の出光側の反対側に位置し、且つ前記導光板と前記底板との間に位置し、前記サイド光源の光線を反射する反射膜層をさらに備える請求項１〜６のいずれか１項に記載のバックライトモジュール。
【請求項８】
前記導光板の出光面に位置し、前記導光板の出光面から出射した光線を収束する光学膜層をさらに備える請求項１〜７のいずれか１項に記載のバックライトモジュール。
【請求項９】
前記底板及び前記背板の外側に位置し、前記バックライトモジュールの内部構造の固定および保護のためのフレームをさらに備える請求項１〜８のいずれか１項に記載のバックライトモジュール。
【請求項１０】
液晶表示装置であって、
請求項１〜９のいずれか１項に記載のバックライトモジュールと、
前記バックライトモジュールの出光側に位置する液晶パネルと、
を備える液晶表示装置。
【請求項１１】
前記液晶パネルは、
アレイ基板と、
液晶セルを形成するようにアレイ基板と互いに対向する対向基板と、
液晶セルに充填された液晶材料と、
を備える請求項１０に記載の液晶表示装置。
【発明の詳細な説明】
【技術分野】
【０００１】
本発明の実施例は、バックライトモジュール及び液晶表示装置に関する。
【背景技術】
【０００２】
液晶フラットパネル表示装置は、寿命が長く、光効率が高く、輻射が低く、電力消費が低いという特徴を有するため、昨今において、徐々にフラットパネル表示装置の主流となっている。液晶表示装置は主に表示パネルおよびバックライトモジュールからなり、バックライトモジュールは表示パネルに十分な輝度および高い均一性を有する照明を提供する。
【０００３】
従来技術のバックライトモジュール、特にサイドライト式バックライトモジュールにおいて、バックライトモジュールのサイドライト式光源の出射光線の発散角度が一定であるため、バックライトモジュールによる表示効果が優れない場合、例えば、バックライトモジュールの光線分布の不均一性による表示装置の画像表示に明暗むらが出ている場合、技術者はバックライトモジュールのサイドライト式光源を調整することによりこの状況を改善することができず、表示装置の表示効果に影響を与えている。
【発明の概要】
【課題を解決するための手段】
【０００４】
本発明の実施例は、バックライトモジュール及び液晶表示装置を提供し、バックライトモジュールの、サイド光源が設置された背板に回転軸を設置することにより、表示装置のバックライト効果が優れない時、タイムリーにサイド光源の出射光線の方向を調整し、それにより表示装置の表示効果を改善する。
【０００５】
本発明の実施例はバックライトモジュールを提供し、導光板と、前記導光板の出光側の反対側に設置された底板と、前記底板の周辺に沿って前記導光板の一側に設置された背板とを備え、前記背板の前記導光板に対向する一側にサイド光源が設置され、前記背板は回転軸を介して前記底板に枢接され、且つ前記背板は前記回転軸の周りに回転可能である。
【０００６】
前記背板と前記導光板の法線方向とがなす角度は、前記サイド光源の出射光線の発散角度より大きくなくてもよい。
【０００７】
前記導光板の前記サイド光源に対向する側面は凹面であってもよい。
【０００８】
前記回転軸の回転できる最大角度は前記サイド光源の出射光線の発散角度より大きくなくてもよい。
【０００９】
前記導光板の凹面が形成した凹みスペースは前記サイド光源の回転に必要なスペースより大きくなってもよい。
【００１０】
前記サイド光源は発光ダイオードであってもよい。
【００１１】
本発明実施例によるバックライトモジュールは前記回転軸の回転を制御する制御モジュールをさらに備える。
【００１２】
一方、本発明の実施例はさらに液晶表示装置を提供し、前記バックライトモジュールと、前記バックライトモジュールの出光側に設置された液晶パネルと、を備える。
【００１３】
本発明実施例の技術案をよりはっきり説明するために、以下、実施例の図面を簡単に紹介する。なお、以下の説明中の図面は、本発明の実施例の一部に過ぎず、本発明を限定するものではない。
【図面の簡単な説明】
【００１４】
【図１】図１は本発明実施例によるバックライトモジュールと液晶パネルとを備える表示装置の構造を示す模式図である。
【図２】図２は本発明実施例による表示装置においてバックライトモジュールのサイド光源が回転した後の構造を示す模式図である。
【発明を実施するための形態】
【００１５】
本発明実施例の目的、技術案及びメリットをよりはっきりに説明するために、以下、本発明実施例の図面を参照しながら、本発明実施例の技術案を明確かつ完全に記述する。なお、記述する実施例は本発明の実施例の一部であり、すべての実施例ではない。記述する本発明の実施例に基づいて、当業者が創造的な労働をしない前提で取得したすべての他の実施例は、いずれも本発明の保護範囲に属する。
【００１６】
本発明の実施例は、バックライトモジュール及び液晶表示装置を提供し、表示装置のバックライト効果が優れない場合、タイムリーにバックライトモジュールの光源を調整することができる。
【００１７】
本発明の実施例を完全に理解するために、下記の記述において限定せず説明できるように、例えば特定のシステム構成、インタフェース、技術などの具体的な細部を示す。しかし、当業者にとって、これらの細部が特定されていない他の実施例においても本発明を実現できることは明らかである。また、必要でない細部が本発明の記述を邪魔することを回避するために、他の状況で、周知の装置、回路及び方法の詳しい説明を省略する。
【００１８】
以下、図面を参照して本発明の実施例を詳しく記述する。
【００１９】
本発明の実施例はバックライトモジュール１１を提供し、図１に示すように、導光板５と、導光板５の出光側の反対側に設置された底板１と、底板１の周辺に沿って導光板５の一側に設置された背板２とを備え、背板２の導光板５に対向する一側にはサイド光源４が設置され、背板２は回転軸３により底板１に枢接され、且つ背板２は回転軸３の周りに回転可能である。
【００２０】
図２に示すように、本発明実施例によるバックライトモジュール１１の背板２が回転した後、即ち、回転軸３を回転した後、背板２と底板１がなす角度は変更される。同時に、サイド光源４は背板２の回転に連動して回転され、回転した後のサイド光源４の出射光線の方向も変更され、従って、表示装置のバックライト効果も対応して変更される。上記方式により、サイド光源の出射光線の方向に対して適当な調整を行なうことができる。
【００２１】
本発明実施例に係るバックライトモジュールによれば、バックライトモジュールの背板に回転軸を設置することにより、回転軸の回転に従って背板を回転させることができる。さらに、タイムリーにサイド光源に対応して調整を行なうように、サイド光源が連動して回転する。従って、バックライトモジュールの照明に最善の効果を達成し、表示パネルの表示効果を改善する。
【００２２】
また、背板２と導光板５の法線方向とがなす角度はサイド光源４の発散角度以下であってもよい。サイド光源４は光線を出射する時、一定の開口角を呈し、サイド光源４は該開口角範囲内にわたって光線を出射できる。上記サイド光源４が水平に設置される場合、光源の開口角と水平方向がなす角度をサイド光源４の発散角度と称し、該発散角度は開口角の二分の一に等しい。回転軸３が回転する時、背板２が連動されて回転し、サイド光源４が光線を出射する方向を変更させる。背板２と導光板５の法線方向とがなす角度がちょうどサイド光源４の発散角度に等しい場合、この時、サイド光源４が発する光線はちょうど水平方向から導光板に入ることができる。回転軸３の回転角度が大きすぎると、サイド光源４が発する光線は水平方向から導光板に入ることができず、導光板５における一部の範囲は入る光線がないため暗い部分となる。従って、背板２と導光板５の法線方向とがなす角度がサイド光源４の発散角度より大きくない時、導光板５に暗い部分を発生させないことを保証できる。
【００２３】
さらに、本発明実施例のバックライトモジュールは、図１に示すように、さらに、反射膜層６、光学膜層７及びフレーム９を備え、反射膜層６は導光板５の下表面、即ち、導光板５の出光面と反対の表面に位置し、且つ、導光板５と底板１との間に位置し、サイド光源４の光線の反射に用いられ、光学膜層７は導光板５の上表面、即ち、導光板５の出光面に位置し、導光板５の上表面から出射した光線を収束させるために用いられ、フレーム９は底板１及び背板２の外側に位置し、バックライトモジュールの内部構造の固定および保護に用いられる。
【００２４】
導光板５のサイド光源４に対向する側面は凹面であってもよく、導光板５の凹面が形成した凹みスペースはサイド光源４の回転に必要なスペースより大きく、サイド光源４の回転のためのスペースを確保し、且つ凹面は光線を発散させる。従って、サイド光源４の発射した光線が導光板５に入った後で、より均一に分布させる。
【００２５】
本発明実施例のバックライトモジュールは、上記回転軸３の回転を制御する制御モジュールをさらに備えてもよい。
【００２６】
本発明の実施例において、回転軸３の回転は制御モジュールにより制御されてもよい。該制御モジュールは、本発明実施例によるバックライトモジュールを取り付けた表示装置の最外層のケースに設置されてもよく、制御モジュールの操作方法に対応した設計を行なってもよく、例えば、ケースに制御モジュールの操作ボタンを設置してボタンを押すことにより、指令を出して操作を完成する。また、当業者にとって、回転軸の回転への制御は他の方式で実現できることは公知なものであり、ここで限定しない。
【００２７】
また、本発明の実施例はさらに液晶表示装置を提供し、図１に示すように、上記バックライトモジュール１１及び液晶パネル８を備え、液晶パネル８はバックライトモジュール１１の出光側に位置する。
【００２８】
例えば、液晶パネル８は、アレイ基板と、液晶セルを形成するようにアレイ基板と互いに対向する対向基板と、液晶セルに充填された液晶材料とを備え、該対向基板は、例えばカラーフィルタ基板である。アレイ基板の各画素ユニットの画素電極は電場を印加するために用いられ、液晶材料の回転程度を制御することで、表示操作を行い、バックライトモジュールは液晶パネルにバックライトを提供する。
【００２９】
例えば、上記液晶表示装置は、携帯、タブレットパソコン、テレビ、ディスプレイ、ノートパソコン、デジタルフォトフレーム、ナビゲーターなどの表示機能を有するいずれの製品又は部品に応用することができる。
【００３０】
本発明の実施例におけるバックライトモジュール及び液晶表示装置は、バックライトモジュールの背板に回転軸を設置することにより、背板を回転軸の回転に従って回転させることができ、さらに、サイド光源に対応した調整をタイムリーに行なうように、サイド光源を動かして回転させ、従って、バックライト源の照明に最善の効果を達成させ、表示パネルの表示効果を改善する。
【００３１】
以上は、本発明の具体的な実施例に過ぎず、本発明の権利範囲はこれに限らず、いずれかの当業者は本発明の開示した技術範囲内で容易に想到した変更や取替えはいずれも本発明の権利範囲に属する。従って、本発明の権利範囲は特許請求の範囲の権利範囲を基準とする。
【符号の説明】
【００３２】
１    底板
２    背板
３    回転軸
４    サイド光源
５    導光板
６    反射膜層
７    光学膜層
８    液晶パネル
９    フレーム
１１    バックライトモジュール
【図１】
2014072187.tif 000003
【図２】
2014072187.tif 000004